(57)【要約】      （修正有）【課題】操作器のエネルギーを低減可能な溝カム構造が実現可能であり、部品数が少なく低コストで、かつ、信頼性の高い双方向駆動機構を提供する。【解決手段】双方向駆動機構３０は、アーク接触子駆動ロッド３１とアーク接触子ガイド３４を備え、アーク接触子駆動ロッドにはアーク接触子第１溝カム３６が、アーク接触子ガイドにはアーク接触子第２溝カム３７が、対向側アーク接触子にはアーク接触子駆動ピン連通部３８が設けられ、アーク接触子第１及び第２溝カムとアーク接触子駆動ピン連通部を連通するアーク接触子駆動ピン３５を備え、アーク接触子駆動ピンをアーク接触子第１及び第２溝カムとアーク接触子駆動ピン連通部に連通させ、アーク接触子駆動ロッドの動作によりアーク接触子駆動ピンが、アーク接触子第１溝及び第２溝カムとアーク接触子駆動ピン連通部を移動することで、対向側アーク接触子１４がアーク接触子駆動ロッドとは反対方向に駆動する。【選択図】図２
2017195103.tif 000002
【特許請求の範囲】
【請求項１】
密閉されて絶縁ガスが充填されている充填容器内に操作器側電極と対向側電極を対向して設け、前記操作器側電極は操作器側接触子を有し、前記対向側電極は対向側接触子を有し、前記操作器側接触子は操作器に接続され、前記対向側接触子は双方向駆動機構に連結されているガス遮断器であって、
前記双方向駆動機構は、前記操作器側電極からの駆動力を受ける接触子駆動ロッドと、該接触子駆動ロッドと前記対向側接触子の動作を規定する接触子ガイドとを備え、
前記接触子駆動ロッドには接触子第１溝カムが設けられ、かつ、前記接触子ガイドには接触子第２溝カムが設けられていると共に、前記対向側接触子には接触子駆動ピン連通部が設けられ、前記接触子第１溝カム、前記接触子第２溝カム及び前記接触子駆動ピン連通部を連通する接触子駆動ピンを備え、
前記接触子駆動ピンを前記接触子第１溝カム、前記接触子第２溝カム及び前記接触子駆動ピン連通部に連通させ、前記接触子駆動ロッドの動作により前記接触子駆動ピンが、前記接触子第１溝カム、前記接触子第２溝カム及び前記接触子駆動ピン連通部を移動することで、前記対向側接触子が前記接触子駆動ロッドとは反対方向に駆動することを特徴とするガス遮断器。
【請求項２】
請求項１に記載のガス遮断器において、
前記操作器側接触子は操作器側主接触子と操作器側アーク接触子とから成り、前記対向側接触子は対向側主接触子と対向側アーク接触子とから成り、前記接触子駆動ロッドは前記操作器側電極からの駆動力を受けるアーク接触子駆動ロッド又は主接触子駆動ロッドから成り、前記接触子ガイドは前記アーク接触子駆動ロッド又は前記主接触子駆動ロッドと前記対向側アーク接触子又は前記対向側主接触子の動作を規定するアーク接触子ガイド又は主接触子ガイドから成り、前記接触子第１溝カムは前記アーク接触子駆動ロッド又は前記主接触子駆動ロッドに設けられたアーク接触子第１溝カム又は主接触子第１溝カムから成り、前記接触子第２溝カムは、前記アーク接触子ガイド又は前記主接触子ガイドに設けられたアーク接触子第２溝カム又は主接触子第２溝カムから成り、前記接触子駆動ピン連通部は前記対向側アーク接触子又は前記対向側主接触子に設けられたアーク接触子駆動ピン連通部又は主接触子駆動ピン連通部から成り、前記接触子駆動ピンは前記アーク接触子第１溝カム又は前記主接触子第１溝カム、前記アーク接触子第２溝カム又は前記主接触子第２溝カム及び前記アーク接触子駆動ピン連通部又は前記主接触子駆動ピン連通部を連通するアーク接触子駆動ピン又は主接触子駆動ピンから成り、
前記アーク接触子駆動ピン又は前記主接触子駆動ピンを前記アーク接触子第１溝カム又は前記主接触子第１溝カム、前記アーク接触子第２溝カム又は前記主接触子第２溝カム及び前記アーク接触子駆動ピン連通部又は前記主接触子駆動ピン連通部に連通させ、前記アーク接触子駆動ロッド又は前記主接触子駆動ロッドの動作により前記アーク接触子駆動ピン又は前記主接触子駆動ピンが、前記アーク接触子第１溝カム又は前記主接触子第１溝カム、前記アーク接触子第２溝カム又は前記主接触子第２溝カム及び前記アーク接触子駆動ピン連通部又は前記主接触子駆動ピン連通部を移動することで、前記対向側アーク接触子又は前記対向側主接触子が前記アーク接触子駆動ロッド又は前記主接触子駆動ロッドとは反対方向に駆動することを特徴とするガス遮断器。
【請求項３】
請求項２に記載のガス遮断器において、
前記操作器側アーク接触子は操作器側に接続され、前記対向側アーク接触子又は前記対向側主接触子は、前記双方向駆動機構に連結されていることを特徴とするガス遮断器。
【請求項４】
請求項３に記載のガス遮断器において、
前記操作器側アーク接触子と前記対向側アーク接触子は絶縁ノズルで包囲され、前記絶縁ノズルの操作器側端部は、シリンダの対向側先端部に固定されていると共に、前記シリンダは、対向側先端の外面が前記操作器側主接触子となっており、前記シリンダ内に配置されている中空ロッドの対向側先端の内周側に、前記操作器側アーク接触子が固定され、該操作器側アーク接触子の周囲が操作器側アーク接触子カバーで覆われ、前記中空ロッドの操作器側は、絶縁ロッドを介して操作器と機械的に接続され、かつ、前記絶縁ノズルの対向側は、前記シリンダの先端との接続部の反対側が前記双方向駆動機構を介して前記対向側アーク接触子又は前記対向側主接触子に接続されており、
前記操作器からの駆動力により、前記絶縁ロッド、前記中空ロッド、前記シリンダ、前記操作器側主接触子、前記操作器側アーク接触子及び前記絶縁ノズルが動作し、それに応じて、前記対向側アーク接触子又は前記対向側主接触子が前記双方向駆動機構を介して動作することを特徴とするガス遮断器。
【請求項５】
請求項４に記載のガス遮断器において、
前記アーク接触子第１溝カム又は前記主接触子第１溝カムは、第１直線部と、該第１直線部とは異なる軸上にある第２直線部と、前記第１直線部と第２直線部を連結する傾斜連結部とで構成されていることを特徴とするガス遮断器。
【請求項６】
請求項５に記載のガス遮断器において、
前記アーク接触子駆動ピン又は前記対向側主接触子駆動ピンが前記第１直線部及び前記第２直線部内を移動するときには前記対向側アーク接触子又は前記対向側主接触子は静止し、前記アーク接触子駆動ピン又は前記主接触子駆動ピンが前記傾斜連結部内を移動するときには前記アーク接触子第２溝カム又は前記主接触子第２溝カム内を一方向に移動することを特徴とするガス遮断器。
【請求項７】
請求項６に記載のガス遮断器において、
前記対向側主接触子は、対向側主接触子動作部と対向側主接触子非動作部から成り、前記対向側主接触子動作部は、前記主接触子駆動ピン連通部が設けられている主接触子動作部品に取り付けられ、該主接触子動作部品に設けられた前記主接触子駆動ピン連通部を貫通する前記主接触子駆動ピンによって、前記主接触子駆動ロッド、前記主接触子ガイドと機械的に接続され、ガス遮断器が動作する際は、前記操作器側主接触子及び前記操作器側アーク接触子とは反対の方向に動作することを特徴とするガス遮断器。
【請求項８】
請求項７に記載のガス遮断器において、
前記対向側主接触子動作部と前記対向側主接触子非動作部の接する面は、表面処理が施されていることを特徴とするガス遮断器。
【請求項９】
請求項１に記載のガス遮断器において、
前記操作器側接触子は操作器側主接触子と操作器側アーク接触子とから成り、前記対向側接触子は対向側主接触子と対向側アーク接触子とから成り、前記接触子駆動ロッドは前記操作器側電極からの駆動力を受けるアーク接触子駆動ロッドと主接触子駆動ロッドから成り、前記接触子ガイドは前記アーク接触子駆動ロッド及び前記主接触子駆動ロッドと前記対向側アーク接触子及び前記対向側主接触子の動作を規定するアーク接触子ガイドと主接触子ガイドから成り、前記接触子第１溝カムは前記アーク接触子駆動ロッドと主接触子駆動ロッドに設けられたアーク接触子第１溝カムと主接触子第１溝カムから成り、前記接触子第２溝カムは、前記アーク接触子ガイドと前記主接触子ガイドに設けられたアーク接触子第２溝カムと主接触子第２溝カムから成り、前記接触子駆動ピン連通部は前記対向側アーク接触子と前記対向側主接触子に設けられたアーク接触子駆動ピン連通部と主接触子駆動ピン連通部から成り、前記接触子駆動ピンは前記アーク接触子第１溝カムと前記主接触子第１溝カム、前記アーク接触子第２溝カムと前記主接触子第２溝カム及び前記アーク接触子駆動ピン連通部と前記主接触子駆動ピン連通部を連通するアーク接触子駆動ピン及び主接触子駆動ピンから成り、
前記アーク接触子駆動ピンと前記主接触子駆動ピンを、前記アーク接触子第１溝カムと前記主接触子第１溝カム、前記アーク接触子第２溝カムと前記主接触子第２溝カム及び前記アーク接触子駆動ピン連通部と前記主接触子駆動ピン連通部に連通させ、前記アーク接触子駆動ロッドと前記主接触子駆動ロッドの動作により、前記アーク接触子駆動ピンと前記主接触子駆動ピンが、前記アーク接触子第１溝カムと前記主接触子第１溝カム、前記アーク接触子第２溝カムと前記主接触子第２溝カム及び前記アーク接触子駆動ピン連通部と前記主接触子駆動ピン連通部を移動することで、前記対向側アーク接触子と前記対向側主接触子が前記アーク接触子駆動ロッドと前記主接触子駆動ロッドとは反対方向に駆動することを特徴とするガス遮断器。
【請求項１０】
請求項９に記載のガス遮断器において、
前記アーク接触子第１溝カムと前記主接触子第１溝カムは、第１直線部と、該第１直線部とは異なる軸上にある第２直線部と、前記第１直線部と第２直線部を連結する傾斜連結部とで構成され、
しかも、前記操作器側アーク接触子は操作器側に接続され、前記対向側アーク接触子と前記対向側主接触子は前記双方向駆動機構に連結され、前記操作器側アーク接触子と前記対向側アーク接触子は絶縁ノズルで包囲され、前記絶縁ノズルの操作器側端部は、シリンダの対向側先端部に固定されていると共に、前記シリンダは、対向側先端の外面が前記操作器側主接触子となっており、前記シリンダ内に配置されている中空ロッドの対向側先端の内周側に、前記操作器側アーク接触子が固定され、該操作器側アーク接触子の周囲が操作器側アーク接触子カバーで覆われ、前記中空ロッドの操作器側は、絶縁ロッドを介して操作器と機械的に接続され、かつ、前記絶縁ノズルの対向側は、前記シリンダの先端との接続部の反対側が前記双方向駆動機構を介して前記対向側アーク接触子と前記対向側主接触子に接続されており、
前記操作器からの駆動力により、前記絶縁ロッド、前記中空ロッド、前記シリンダ、前記操作器側主接触子、前記操作器側アーク接触子及び前記絶縁ノズルが動作し、それに応じて、前記対向側アーク接触子と前記対向側主接触子が前記双方向駆動機構を介して動作することを特徴とするガス遮断器。
【発明の詳細な説明】
【技術分野】
【０００１】
本発明はガス遮断器に係り、特に、電極を互いに反対方向に駆動する双方向駆動機構を備えているものに好適なガス遮断器に関する。
【背景技術】
【０００２】
一般に、高電圧の電力系統に用いるガス遮断器は、遮断動作途中の消弧ガスの圧力上昇を利用し、圧縮ガスを電極間に生じるアークに吹き付けることで電流を遮断するパッファ形と呼ばれるものが用いられている。上述した電極は、油圧やばねなどの操作器で駆動される操作器側電極と、それに対向して配置される対向側電極から成り、それぞれの電極は、通常接続時に主な電流経路を形成する主接触子と、遮断時にアークが生成されるアーク接触子とで構成されている。
【０００３】
ところで、パッファ形ガス遮断器の遮断性能を向上させるために、従来、固定されていた対向側電極を操作器側電極の駆動方向と反対方向に駆動する双方向駆動方式が提案されている。
【０００４】
例えば、特許文献１では、フォーク型レバーによる双方向駆動方式を提案している。この特許文献１には、フォークの窪み部に駆動側の動きに連動したピンが接触することでフォーク型レバーが回動し、これを開閉軸方向の往復運動に変換することで、被駆動側アーク電極を駆動側電極の駆動方向と反対方向に駆動することが記載され、フォークの窪み部からピンが離れた状態では、レバーは位置保持され、対向側アーク電極は静止するものである。
【０００５】
この特許文献１は、電流遮断に必要な時間領域に、最小限の駆動力で効率よく対向側アーク電極を動かすことを目的としている。
【０００６】
また、特許文献２では、溝カムと回転レバーを組み合わせる双方向駆動方式を提案している。この特許文献２には、操作器側ロッドに設けられた溝、動作しないガイドに設けられた溝及び回転レバーを貫通するピンが、操作器側ロッドの動作と連動して回転レバーを回転させることで、回転レバーの支点を挟んで反対側に位置する対向側ピンと、それに連動する対向側アーク接触子を操作器側のピンとは反対方向に動作させることが記載されている。
【０００７】
この特許文献２は、溝カム、回転レバーを任意の形状にすることで対向側アーク電極と操作器側電極の速度比を任意に変更可能にするものである。
【先行技術文献】
【特許文献】
【０００８】
【特許文献１】米国特許第６２７１４９４号明細書
【特許文献２】特開２０１５−８８２８７号公報
【発明の概要】
【発明が解決しようとする課題】
【０００９】
しかしながら、特許文献１に記載されているフォーク型レバーの形状では、直線部と円弧部のみで構成されるため、対向側の速度を任意に設定できないという問題がある。また、開閉動作の度にピンがフォーク型レバーの窪み部に接触し、フォーク型レバーに過度の力がかかる恐れがある。
【００１０】
また、特許文献２に記載されている溝カムと回転レバーの組み合わせでは、溝カムと回転レバーの形状により、対向側の動作を任意の時間帯、速度に設定することが可能であるが、対向側を操作器側とは反対方向に動作させるために回転レバーを用いる構造であり、部品点数が多くなるという問題がある。
【００１１】
本発明は上述の点に鑑みなされたもので、その目的とするところは、遮断性能を確保しながら操作器のエネルギーを低減可能な溝カム構造が実現可能であり、従来の双方向駆動方式と比較して部品数が少なく低コストで、かつ、信頼性の高い双方向駆動機構を備えたガス遮断器を提供することにある。
【課題を解決するための手段】
【００１２】
本発明のガス遮断器は、上記目的を達成するために、密閉されて絶縁ガスが充填されている充填容器内に操作器側電極と対向側電極を対向して設け、前記操作器側電極は操作器側接触子を有し、前記対向側電極は対向側接触子を有し、前記操作器側接触子は操作器に接続され、前記対向側接触子は双方向駆動機構に連結されているガス遮断器であって、前記双方向駆動機構は、前記操作器側電極からの駆動力を受ける接触子駆動ロッドと、該接触子駆動ロッドと前記対向側接触子の動作を規定する接触子ガイドとを備え、前記接触子駆動ロッドには接触子第１溝カムが設けられ、かつ、前記接触子ガイドには接触子第２溝カムが設けられていると共に、前記対向側接触子には接触子駆動ピン連通部が設けられ、前記接触子第１溝カム、前記接触子第２溝カム及び前記主接触子駆動ピン連通部を連通する接触子駆動ピンを備え、前記接触子駆動ピンを前記接触子第１溝カム、前記接触子第２溝カム及び前記接触子駆動ピン連通部に連通させ、前記接触子駆動ロッドの動作により前記接触子駆動ピンが、前記接触子第１溝カム、前記接触子第２溝カム及び前記接触子駆動ピン連通部を移動することで、前記対向側接触子が前記接触子駆動ロッドとは反対方向に駆動することを特徴とする。
【発明の効果】
【００１３】
本発明によれば、遮断性能を確保しながら操作器のエネルギーを低減可能な溝カム構造が実現可能であり、従来の双方向駆動方式と比較して部品数が少なく低コストで、かつ、信頼性の高い双方向駆動機構を備えたガス遮断器を得ることができる。
【図面の簡単な説明】
【００１４】
【図１】本発明のガス遮断器の実施例１であるパッファ形ガス遮断器を示す断面図である。
【図２】本発明のガス遮断器の実施例１における遮断動作前の双方向駆動機構を、その周囲と共に示す断面図である。
【図３】図２のＸ−Ｘ線に沿った断面を矢印方向から見た場合の断面図である。
【図４】本発明のガス遮断器の実施例１における遮断動作の途中の双方向駆動機構を、その周囲と共に示す断面図である。
【図５】図４における駆動ロッド、ガイドの溝カム部と駆動ピンを拡大して示す断面図である。
【図６】本発明のガス遮断器の実施例１における遮断動作後の双方向駆動機構を、その周囲と共に示す断面図である。
【図７】本発明のガス遮断器の実施例２であるパッファ形ガス遮断器における遮断動作前の双方向駆動機構を、その周囲と共に示す断面図である。
【図８】図７のＹ−Ｙ線に沿った断面を矢印方向から見た場合の断面図である。
【図９】本発明のガス遮断器の実施例３であるパッファ形ガス遮断器における遮断動作前の双方向駆動機構を、その周囲と共に示す断面図である。
【図１０】図９のＺ−Ｚ線に沿った断面を矢印方向から見た場合の断面図である。
【発明を実施するための形態】
【００１５】
以下、図示した実施例に基づいて本発明のガス遮断器を説明する。なお、各実施例において同一構成部品は同符号を使用する。
【実施例１】
【００１６】
図１、図２及び図３に、本発明のガス遮断器の実施例１であるパッファ形ガス遮断器を示す。
【００１７】
該図に示す如く、本実施例のパッファ形ガス遮断器は、消弧性を有する絶縁ガスが充填されている充填容器２の中に、接離可能な操作器側主接触子１１及び対向側主接触子１２と、接離可能な操作器側アーク接触子１３及び対向側アーク接触子１４とが配置されている。
【００１８】
上記操作器側アーク接触子１３と対向側アーク接触子１４は絶縁ノズル１６で包囲され、この絶縁ノズル１６の操作器側端部は、シリンダ２１の対向側先端部に固定されている。また、シリンダ２１は、対向側先端の外面が操作器側主接触子１１となっており、このシリンダ２１内に配置されている中空ロッド１７の対向側先端の内周側に、操作器側アーク接触子１３が固定され、その操作器側アーク接触子１３の周囲が操作器側アーク接触子カバー１５で覆われている。また、中空ロッド１７の操作器側は、絶縁ロッド３を介して操作器１と機械的に接続されている。更に、絶縁ノズル１６の対向側は、シリンダ２１の先端との接続部の反対側（対向側）が、双方向駆動機構３０を介して対向側アーク接触子１４に接続されている。
【００１９】
そして、操作器１からの駆動力により、絶縁ロッド３、中空ロッド１７、シリンダ２１、操作器側主接触子１１、操作器側アーク接触子１３及び絶縁ノズル１６が図１及び図２の紙面左右方向に動作し、それに応じて、対向側アーク接触子１４が双方向駆動機構３０を介して図１及び図２の紙面左右方向に動作する。
【００２０】
なお、シリンダ２１内は、熱パッファ室２２と機械パッファ室２４に区分され、両者間には、逆止弁２３が設置されている。また、４は操作器側導体である。
【００２１】
次に、絶縁ノズル１６と双方向駆動機構３０の接続部の詳細を、図２及び図３に示す。
【００２２】
該図に示す如く、絶縁ノズル１６は、駆動ロッド連結リング３２及び駆動ロッド連結ナット３３によって、アーク接触子駆動ロッド３１と固定されている。また、アーク接触子ガイド３４は、対向側導体５にボルト、ナット等で固定されている。
【００２３】
また、双方向駆動機構３０は、操作器１からの駆動力を受けるアーク接触子駆動ロッド３１と、このアーク接触子駆動ロッド３１と対向側アーク接触子１４の動作を規定するアーク接触子ガイド３４とを備え、アーク接触子駆動ロッド３１にはアーク接触子第１溝カム３６が設けられ、かつ、アーク接触子ガイド３４にはアーク接触子第２溝カム３７が設けられていると共に、対向側アーク接触子１４にはアーク接触子駆動ピン連通部３８が設けられ、アーク接触子第１溝カム３６、アーク接触子第２溝カム３７及びアーク接触子駆動ピン連通部３８を連通するアーク接触子駆動ピン３５を備え、アーク接触子駆動ピン３５をアーク接触子第１溝カム３６、アーク接触子第２溝カム３７及びアーク接触子駆動ピン連通部３８に連通させ、アーク接触子駆動ロッド３１の動作によりアーク接触子駆動ピン３５が、アーク接触子第１溝カム３６、アーク接触子第２溝カム３７及びアーク接触子駆動ピン連通部３８を移動することで、対向側アーク接触子１４がアーク接触子駆動ロッド３１とは反対方向に駆動するものである。
【００２４】
即ち、双方向駆動機構３０は、アーク接触子駆動ロッド３１に一部傾斜して設けられたアーク接触子第１溝カム３６、アーク接触子ガイド３４に斜めに設けられたアーク接触子第２溝カム３７、対向側アーク接触子１４に設けられた長穴形状のアーク接触子駆動ピン連通部３８、これらアーク接触子第１溝カム３６、アーク接触子第２溝カム３７及びアーク接触子駆動ピン連通部３８それぞれを連通して移動するアーク接触子駆動ピン３５を備え、アーク接触子駆動ピン３５によって、対向側アーク接触子１４と機械的に接続されている。対向側アーク接触子１４の対向側は、その頭部１４ＡがＴ字状に形成されており、このＴ字状部分にアーク接触子駆動ピン連通部３８が設けられている。
【００２５】
また、アーク接触子駆動ロッド３１に設けられるアーク接触子第１溝カム３６は、第１直線部３６Ａと、この第１直線部３６Ａとは異なる軸上にある第２直線部３６Ｂと、第１直線部３６Ａと第２直線部３６Ｂを連結する傾斜連結部３６Ｃとによって構成されている。
【００２６】
更に、アーク接触子第１溝カム３６、アーク接触子第２溝カム３７及びアーク接触子駆動ピン連通部３８の形状は、ガス遮断器の動作特性に応じて任意に設計されるものであり、例えば、図示した直線形状の組み合わせの他に、アーク接触子第１溝カム３６の第１直線部３６Ａと傾斜連結部３６Ｃの境界部分（図２のＰ部分）及び第２直線部３６Ｂと傾斜連結部３６Ｃの境界部分（図２のＱ部分）を、曲線形の形状とすることも可能である。
【００２７】
これによって、対向側アーク接触子１４を、ガス遮断器の動作特性に応じて任意の時刻に任意の速度で動作させることが可能になる。
【００２８】
また、アーク接触子駆動ロッド３１と対向側アーク接触子１４のＴ字状部分（図２に符号１４Ａで示す）の図３における紙面上下方向の大きさは、アーク接触子ガイド３４の上下の突き出し部３４Ａを除く間隔と等しくなるように設計されることが望ましい。つまり、図３において、アーク接触子駆動ロッド３１の長さＬとアーク接触子ガイド３４の上下の突き出し部３４Ａを除く長さｌが等しいことが望ましい。
【００２９】
このとき、アーク接触子駆動ロッド３１及び対向側アーク接触子１４の紙面上下方向への動作が、アーク接触子ガイド３４の突き出し部３４Ａによって制限、即ち、アーク接触子ガイド３４はＩ型を成し、このＩ型の頭部の突き出し部３４Ａで、アーク接触子駆動ロッド３１及び対向側アーク接触子１４の紙面上下方向への動作ができないように制限されるので、双方向駆動機構３０の動作の安定性向上に寄与する。
【００３０】
次に、図４、図５及び図６を用いて、上記した構成のガス遮断器の電流遮断時の動作を説明する。
【００３１】
図４及び図５に示すように、操作器１により中空ロッド１７が駆動されると、操作器側アーク接触子カバー１５で覆われた操作器側アーク接触子１３、絶縁ノズル１６及びアーク接触子駆動ロッド３１等が紙面右側（図５の矢印Ａ方向）に向かって図２の状態から変位する。そして、アーク接触子駆動ピン３５が、アーク接触子第１溝カム３６の第１直線部３６Ａと傾斜連結部３６Ｃの交点に到達するまで変位した後、アーク接触子駆動ピン３５は、図４及び図５に示すように、紙面右方向に変位するアーク接触子第１溝カム３６の傾斜連結部３６Ｃと、変位しないアーク接触子第２溝カム３７に規制されて、アーク接触子第２溝カム３７と平行に紙面左上方向（図５の矢印Ｃ方向）に動作する。アーク接触子駆動ピン３５は、対向側アーク接触子１４のアーク駆動ピン連通部３８にも連通しているため、アーク接触子駆動ピン３５がアーク接触子第２溝カム３７と平行に動作するに従って、対向側アーク接触子１４が紙面左側（図５の矢印Ｂ方向）、つまり、操作器側アーク接触子１３と反対の方向に変位し、アーク接触子駆動ピン３５が、アーク接触子第１溝カム３６の第２直線部３６Ｂ及びアーク接触子第２溝カム３７の上方端に移動することで動作が完了する（図６の状態）。
【００３２】
このような本実施例の構成とすることにより、遮断性能を確保しながら操作器のエネルギーを低減可能な溝カム構造が実現可能であり、従来の双方向駆動方式と比較して部品数が少ない低コストの双方向駆動機構が得られる。また、溝カムを任意の形状とすることで、遮断特性に応じた遮断動作を実現しつつ、可動ピンに働く過度の力を緩和できるため、信頼性の高い双方向駆動機構を備えたガス遮断器が実現できる。
【実施例２】
【００３３】
図７及び図８に、本発明のガス遮断器の実施例２であるパッファ形ガス遮断器を示す。
【００３４】
該図に示す本実施例パッファ形ガス遮断器は、実施例１で説明したパッファ形ガス遮断器と略同一構成なので、以下では、実施例１と異なる点のみ説明する。
【００３５】
実施例２と実施例１におけるパッファ形ガス遮断器の相違点は、実施例１では対向側アーク接触子１４を動作させていたが、実施例２は対向側アーク接触子１４ではなく、対向側主接触子１２を動作させる点にある。
【００３６】
即ち、本実施例では、双方向駆動機構３０は、操作器１からの駆動力を受ける主接触子駆動ロッド４１と、この主接触子駆動ロッド４１と対向側主接触子１２の動作を規定する主接触子ガイド４２とを備え、主接触子駆動ロッド４１には主接触子第１溝カム４４が設けられ、かつ、主接触子ガイド４２には主接触子第２溝カム４５が設けられていると共に、対向側主接触子１２には主接触子駆動ピン連通部４６が設けられ、主接触子第１溝カム４４、主接触子第２溝カム４５及び主接触子駆動ピン連通部４６を連通する主接触子駆動ピン４３を備え、主接触子駆動ピン４３を主接触子第１溝カム４４、主接触子第２溝カム４５及び主接触子駆動ピン連通部４６に連通させ、主接触子駆動ロッド４１の動作により主接触子駆動ピン４３が、主接触子第１溝カム４４、主接触子第２溝カム４５及び主接触子駆動ピン連通部４６を移動することで、対向側主接触子１２が主接触子駆動ロッド４１とは反対方向に駆動するものである。
【００３７】
具体的に説明すると、対向側主接触子１２は、対向側主接触子動作部１２Ａと対向側主接触子非動作部１２Ｂに分かれており、主接触子動作部１２Ａは、主接触子動作部品１２Ｃに取り付けられていて、主接触子動作部品１２Ｃに設けられた主接触子駆動ピン連通部４６を貫通する主接触子駆動ピン４３によって主接触子駆動ロッド４１、主接触子ガイド４２と機械的に接続され、ガス遮断器が動作する際は操作器側主接触子１１、操作器側アーク接触子１３とは反対の方向に動作する。
【００３８】
このとき、対向側主接触子動作部１２Ａは、主接触子駆動ロッド４１に設けられた主接触子第１溝カム４４、主接触子ガイド４２に設けられた主接触子第２溝カム４５、主接触子駆動ピン連通部４６の形状が許容する範囲で、ガス遮断器の動作特性に応じて任意の時刻に、任意の速度で動作させることができる。
【００３９】
なお、対向側主接触子動作部１２Ａと対向側主接触子非動作部１２Ｂの接する面は、表面処理などの方法で電気抵抗と摺動摩擦が小さくなるようにされていることが望ましい。
【００４０】
このような本実施例の構成であっても、その効果は実施例１と同様である。
【実施例３】
【００４１】
図９及び図１０に、本発明のガス遮断器の実施例３であるパッファ形ガス遮断器を示す。
【００４２】
上述した実施例１又は２では、対向側アーク接触子１４又は対向側主接触子１２の片方だけを動作させる機構を有するパッファ形ガス遮断器について説明したが、図９及び図１０に示す実施例は、対向側アーク接触子１４と対向側主接触子１２の両方を動作させる機構、つまり、実施例１と実施例２を組み合わせた機構を備えたパッファ形ガス遮断器を示すものである。
【００４３】
即ち、本実施例では、双方向駆動機構３０は、操作器１からの駆動力を受ける対向側接触子駆動ロッド５１と、この対向側接触子駆動ロッド５１と対向側アーク接触子１４及び対向側主接触子１２の動作を規定する対向側接触子ガイド５２とを備え、対向側接触子駆動ロッド５１にはアーク接触子第１溝カム３６と主接触子第１溝カム４４が設けられ、かつ、対向側接触子ガイド５２にはアーク接触子第２溝カム３７と主接触子第２溝カム４５が設けられていると共に、対向側アーク接触子１４にはアーク接触子駆動ピン連通部３８が、対向側主接触子１２には主接触子駆動ピン連通部４６がそれぞれ設けられ、アーク接触子第１溝カム３６、アーク接触子第２溝カム３７及びアーク接触子駆動ピン連通部３８を連通するアーク接触子駆動ピン３５を、主接触子第１溝カム４４、主接触子第２溝カム４５及び主接触子駆動ピン連通部４６を連通する主接触子駆動ピン４３それぞれを備え、アーク接触子駆動ピン３５をアーク接触子第１溝カム３６、アーク接触子第２溝カム３７及びアーク接触子駆動ピン連通部３８に連通させ、アーク接触子駆動ロッド３１の動作によりアーク接触子駆動ピン３５が、アーク接触子第１溝カム３６、アーク接触子第２溝カム３７及びアーク接触子駆動ピン連通部３８を移動することで、対向側アーク接触子１４がアーク接触子駆動ロッド３１とは反対方向に駆動すると共に、主接触子駆動ピン４３を主接触子第１溝カム４４、主接触子第２溝カム４５及び主接触子駆動ピン連通部４６に連通させ、主接触子駆動ロッド４１の動作により主接触子駆動ピン４３が、主接触子第１溝カム４４、主接触子第２溝カム４５及び主接触子駆動ピン連通部４６を移動することで、対向側主接触子１２が主接触子駆動ロッド４１とは反対方向に駆動するものである。
【００４４】
なお、対向側接触子駆動ロッド５１に設けられているアーク接触子第１溝カム３６と対向側第１溝カム４４、対向側接触子ガイド５２に設けられているアーク接触子第２溝カム３７と対向側第２溝カム４５は、実施例１及び２と同一構成である。
【００４５】
具体的に説明すると、本実施例のパッファ形ガス遮断器は、対向側接触子駆動ロッド５１にアーク接触子第１溝カム３６と主接触子第１溝カム４４の両方が設けられていて、対向側接触子ガイド５２にはアーク接触子第２溝カム３７と、主接触子第２溝カム４５が設けられている。そして、対向側アーク接触子１４は、アーク接触子第１溝カム３６、アーク接触子第２溝カム３７、アーク接触子駆動ピン連通部３８を連通するアーク接触子駆動ピン３５によって、対向側接触子駆動ロッド５１と機械的に接続され、また、対向側主接触子１２は主接触子第１溝カム４４、主接触子第２溝カム４５、主接触子駆動ピン連通部４６を連通する主接触子駆動ピン４３によって、対向側接触子駆動ロッド５１と機械的に接続されているものである。
【００４６】
このような本実施例の構成とすることで、対向側アーク接触子１４と対向側主接触子１２の両方を、操作器１の動作特性に対応して動作させるガス遮断器が実現できる。このとき、対向側アーク接触子１４と対向側主接触子１２は、対向側接触子駆動ロッド５１に設けたアーク接触子第１溝カム３６と主接触子第１溝カム４４、対向側接触子ガイド５２に設けられたアーク接触子第２溝カム３７と主接触子第２溝カム４５、アーク接触子駆動ピン連通部３８、主接触子駆動ピン連通部４６の形状が許容する範囲で、ガス遮断器の動作特性に応じてそれぞれを任意の時刻に、任意の速度で動作させることができる。
【００４７】
従って、本実施例でも、実施例１と同様な効果を得ることができる。
【００４８】
なお、上述した各実施例では、熱パッファ方式のガス遮断器を例に挙げて説明したが、本発明は機械パッファ方式を適用したガス遮断器にも適用することが可能である。
【００４９】
また、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００５０】
１…操作器、２…充填容器、３…絶縁ロッド、４…操作器側導体、５…対向側導体、１１…操作器側主接触子、１２…対向側主接触子、１２Ａ…対向側主接触子動作部、１２Ｂ…対向側主接触子非動作部、１２Ｃ…主接触子動作部品、１３…操作器側アーク接触子、１４…対向側アーク接触子、１５…操作器側アーク接触子カバー、１６…絶縁ノズル、１７…中空ロッド、２１…シリンダ、２２…熱パッファ室、２３…逆止弁、２４…機械パッファ室、３０…双方向駆動機構、３１…アーク接触子駆動ロッド、３２…駆動ロッド連結リング、３３…駆動ロッド連結ナット、３４…アーク接触子ガイド、３４Ａ…アーク接触子ガイドの突き出し部、３５…アーク接触子駆動ピン、３６…アーク接触子第１溝カム、３６Ａ…第１直線部、３６Ｂ…第２直線部、３６Ｃ…傾斜連結部、３７…アーク接触子第２溝カム、３８…アーク接触子駆動ピン連通部、４１…主接触子駆動ロッド、４２…主接触子ガイド、４３…主接触子駆動ピン、４４…主接触子第１溝カム、４５…主接触子第２溝カム、４６…主接触子駆動ピン連通部、５１…対向側接触子駆動ロッド、５２…対向側接触子ガイド。
【図１】
2017195103.tif 000003
【図２】
2017195103.tif 000004
【図３】
2017195103.tif 000005
【図４】
2017195103.tif 000006
【図５】
2017195103.tif 000007
【図６】
2017195103.tif 000008
【図７】
2017195103.tif 000009
【図８】
2017195103.tif 000010
【図９】
2017195103.tif 000011
【図１０】
2017195103.tif 000012